(57)【要約】      （修正有）【課題】フェイスの角度のコントロールが容易なグリップ構造を備えるラケットを提供する。【解決手段】フェイス２２０を画成するフレーム２２に接続されるグリップ２０を備え、グリップ２０は、長手方向に延びてシャフト２００及び把持部２０１を順次含む。シャフト２００は、フレーム２２に接続される。把持部２０１は、シャフト２００に接続されて長手方向に延びる。把持部２０１は、長軸２０１０と、長軸２０１０と交差して長軸２０１０より短い短軸２０１１とを有する。短軸２０１１は、フェイス２２０に対して平行である。長軸２０１０は、フェイス２２０に対して垂直である。把持部２０１は、第１の側壁面２０１２と、第２の側壁面２０１３と、第１の側壁面２０１２の一側及び第２の側壁面２０１３の一側に接続される第３の側壁面２０１４と、第１の側壁面２０１２の他側及び第２の側壁面２０１３の他側に接続される第４の側壁面２０１５とを有する。【選択図】図３
0003225594.tif 000002
【実用新案登録請求の範囲】
【請求項１】
フェイスを画成するフレームと、該フレームに接続されるグリップ構造を備えるラケットであって、
前記グリップ構造は、長手方向に延びてシャフト及び把持部を順次含み、
前記シャフトは、前記フレームに接続され、
前記把持部は、前記シャフトに接続されて長手方向に延び、
前記把持部は、長軸と、前記長軸と交差して前記長軸より短い短軸とを有し、
前記短軸は、前記フェイスに対して平行であり、
前記長軸は、前記フェイスに対して垂直であることを特徴とするグリップ構造を備えるラケット。
【請求項２】
前記把持部は、第１の側壁面と、第２の側壁面と、前記第１の側壁面の一側及び前記第２の側壁面の一側に接続される第３の側壁面と、前記第１の側壁面の他側及び前記第２の側壁面の他側に接続される第４の側壁面とを有し、
前記第１の側壁面と前記第２の側壁面との間には、短軸が形成され、
前記第３の側壁面と前記第４の側壁面との間には、長軸が形成されることを特徴とする請求項１に記載のグリップ構造を備えるラケット。
【請求項３】
第１の側壁面の両端と、第３の側壁面及び第４の側壁面との接続箇所と、第２の側壁面と、前記第３の側壁面及び前記第４の側壁面との接続箇所とには斜面構造が形成されていることを特徴とする請求項１に記載のグリップ構造を備えるラケット。
【請求項４】
前記把持部の断面構造は、長軸と比較して短い短軸がフェイスと平行となる扁形八角形を呈していることを特徴とする請求項１に記載のグリップ構造を備えるラケット。
【考案の詳細な説明】
【技術分野】
【０００１】
本考案は、ラケットに関するものであり、さらに詳しくは、特定のグリップ構造を備えるラケットに関するものである。
【背景技術】
【０００２】
バドミントン用コートが増え、世界レベルの試合が頻繁に行われているため、現代人にとってバドミントンは人気があるスポーツであり、その人気は年々高まっている。図１及び図２を参照する。図１は、従来のラケットを示す斜視図である。図２は、従来のラケットのグリップがフェイスに対応する状態を示す断面図である。バドミントン用のラケット１は、フレーム１０と、フレーム１０に接続されたグリップ１２と、フレーム１０に張ったガット１４とから構成される。グリップ１２の一部は八角形を呈する。図２に示すように、八角形を呈するグリップ１２は、短軸１２０及び長軸１２２を有し、長軸１２２が短軸１２０より長いため、扁平八角形を呈している。長軸１２２がラケット１のフェイス１６に対して平行であるため、フェイス１６の角度をコントロールするためには、シャトルを打つ力、角度さらにはグリップの握り方をより正確にする必要があった。そのため、グリップの握り方が適切でなかったり、手の力をシャトルに上手に伝えることができなかったりした場合、シャトルを打つ角度を適切にすることができず、ラケットのフェイスでシャトルのコルク部分を正確に打つこともできず、シャトルを打ち出す強さに悪影響を及ぼしてしまい、最悪の場合、打ち損じてしまう虞もあった。
【考案の概要】
【考案が解決しようとする課題】
【０００３】
従って、本考案の課題は、フェイスの角度のコントロールが容易であり、シャトルを打つ角度を適切にすることが容易なグリップ構造を有するラケットを提供することにある。
【課題を解決するための手段】
【０００４】
そこで、本考案者は、前記の本考案の課題を解決するため鋭意検討を重ねた結果、グリップ構造の把持部を構成する短軸がフェイスに対して平行であり、
長軸がフェイスに対して垂直であることを一つの構成とすることにより、
前記課題を解決できることに着目し、かかる知見に基いて本考案に想到するに至った。
すなわち、上記課題を解決するために、本考案の第１の形態によれば、フェイスを画成するフレームに接続されるグリップ構造を備えるラケットであって、前記グリップ構造は、長手方向に延びてシャフト及び把持部を順次含み、前記シャフトは、前記フレームに接続され、前記把持部は、前記シャフトに接続されて長手方向で延び、前記把持部は、長軸と、前記長軸と交差して前記長軸より短い短軸と、を有し、前記短軸は、フェイスに対して平行であり、前記長軸は、前記フェイスに対して垂直であることを特徴グリップ構造を備えるラケットが提供される。
かくして、本考案の要旨は次の（１）〜（４）に記載の通りである。
【０００５】
（１）フェイスを画成するフレームと、該フレームに接続されるグリップ構造を備えるラケットであって、
前記グリップ構造は、長手方向に延びてシャフト及び把持部を順次含み、
前記シャフトは、前記フレームに接続され、
前記把持部は、前記シャフトに接続されて長手方向に延び、
前記把持部は、長軸と、前記長軸と交差して前記長軸より短い短軸とを有し、
前記短軸は、前記フェイスに対して平行であり、
前記長軸は、前記フェイスに対して垂直であることを特徴とするグリップ構造を備えるラケット。
【０００６】
（２）前記把持部は、第１の側壁面と、第２の側壁面と、前記第１の側壁面の一側及び前記第２の側壁面の一側に接続される第３の側壁面と、前記第１の側壁面の他側及び前記第２の側壁面の他側に接続される第４の側壁面とを有し、
前記第１の側壁面と前記第２の側壁面との間には、短軸が形成され、
前記第３の側壁面と前記第４の側壁面との間には、長軸が形成されることを特徴とする前記（１）に記載のグリップ構造を備えるラケット。
【０００７】
（３）第１の側壁面の両端と、第３の側壁面及び第４の側壁面との接続箇所と、第２の側壁面と、前記第３の側壁面及び前記第４の側壁面との接続箇所とには斜面構造が形成されていることを特徴とする前記（１）に記載のグリップ構造を備えるラケット。
【０００８】
（４）前記把持部の断面構造は、長軸と比較して短い短軸がフェイスと平行となる扁形八角形を呈していることを特徴とする前記（１）に記載のグリップ構造を備えるラケット。
【考案の効果】
【０００９】
請求項１に係る考案によれば、グリップ構造の把持部の断面形状において、長軸と、長軸と交差した短軸を有し、短軸がフェイスに対し平行に配置されることにより、ラケット使用者にとってシャトルを打つ精度と力加減の正確さが向上し、フェイスを精確にコントロールすることができるという著しく顕著な効果を奏する。
【００１０】
請求項２、３および４に係る考案によれば、把持部の断面形状がさらに特定され、長軸と比較して短い短軸がラケットのフェイスと平行となる扁形八角形であることにより、フェイスのコントロールがより精確となり、シャトルを打つ精度と力加減の正確さがさらに向上する。
【図面の簡単な説明】
【００１１】
【図１】従来のラケットを示す斜視図である。
【図２】従来のラケットのグリップがフェイスに対応する状態を示す断面図である。
【図３】本考案の一実施形態に係るラケットを示す斜視図である。
【図４】本考案の一実施形態に係るラケットのグリップがフェイスに対応する状態を示す断面図である。
【考案を実施するための形態】
【００１２】
以下、図面により本考案を詳しく説明する。もっとも、本考案は、図面等により限定されるものではない。
図３及び図４を参照する。図３は、本考案の一実施形態に係るラケットを示す斜視図である。図４は、本考案の一実施形態に係るラケットのグリップがフェイスに対応する状態を示す断面図である。図３及び図４に示すように、本考案の一実施形態に係るラケットのグリップ構造は、グリップ２０及びフレーム２２を有するラケット２を備える。グリップ２０は、フェイス２２０を画成するフレーム２２に接続される。グリップ２０は、長手方向で延びてシャフト２００及び把持部２０１を順次含む。シャフト２００は、フレーム２２に接続される。把持部２０１は、シャフト２００に接続されて長手方向で延びる。把持部２０１は、長軸２０１０と、長軸２０１０と交差して長軸２０１０より短い短軸２０１１と、を有する。短軸２０１１は、フェイス２２０に対して平行である。長軸２０１０は、フェイス２２０に対して垂直である。
【００１３】
把持部２０１は、第１の側壁面２０１２と、第２の側壁面２０１３と、第１の側壁面２０１２の一側及び第２の側壁面２０１３の一側に接続される第３の側壁面２０１４と、第１の側壁面２０１２の他側及び第２の側壁面２０１３の他側に接続される第４の側壁面２０１５と、を有する。第１の側壁面２０１２と第２の側壁面２０１３との間には、短軸２０１１が形成される。第３の側壁面２０１４と第４の側壁面２０１５との間には、長軸２０１０が形成される。把持部２０１の断面構造は、扁形八角形を呈する。
【００１４】
また、第１の側壁面２０１２の両端と、第３の側壁面２０１４及び第４の側壁面２０１５との接続箇所と、第２の側壁面２０１３と、第３の側壁面２０１４及び第４の側壁面２０１５との接続箇所とには斜面構造２０１６が形成されている。
【００１５】
上述したことから分かるように、本考案のラケットのグリップ構造は、把持部２０１の長軸２０１０がフェイス２２０に対して垂直であり、短軸２０１１は、フェイス２２０に対して平行である。把持部２０１の断面構造は、長軸と比較して短い短軸がフェイスと平行となる扁形八角形を呈する。把持部２０１の構造が呈する扁形八角形が顕著であるほど（即ち、長軸２０１０の距離が短軸２０１１の２倍以上であるとき）、ラケットの使用者は、シャトルを打つ精度と力加減の正確さとが向上し、フェイスを正確にコントロールし、スマッシュを打つときのパワー、速度及びシャトルを打つ方向を正確にコントロールすることができる。
【符号の説明】
【００１６】
１  ラケット
２  ラケット
１０  フレーム
１２  グリップ
１４  ガット
１６  フェイス
２０  グリップ構造
２２  フレーム
１２０  短軸
１２２  長軸
２００  シャフト
２０１  把持部
２２０  フェイス
２０１０  長軸
２０１１  短軸
２０１２  第１の側壁面
２０１３  第２の側壁面
２０１４  第３の側壁面
２０１５  第４の側壁面
２０１６  斜面構造
【図１】
0003225594.tif 000003
【図２】
0003225594.tif 000004
【図３】
0003225594.tif 000005
【図４】
0003225594.tif 000006